(57)【特許請求の範囲】
【請求項１】
ベッド本体と前記ベッド本体のクッション面に載置する背クッションとを組み合わせて構成され、
前記ベッド本体は、サイドフレームで囲われたマットの裏面下側を中空とし、この中空部にベッド本体の短縁と平行に複数の仕切を設けたものとし、
前記背クッションは、二つのクッション体をその長縁で折り畳み可能に接合して構成し、
この背クッションの二つのクッション体を前記ベッド本体の仕切の両側に振り分けて収納できるようにした、
ソファーベッド
【請求項２】
ベッド本体と前記ベッド本体のクッション面に載置する背クッションとを組み合わせて構成されたソファーベッドの梱包において、
サイドフレームで囲われたマットの裏面下側を中空とし、この中空部にベッド本体の短縁と平行に複数の仕切を設けたベッド本体の前記中空部に、二つのクッション体をその長縁で折り畳み可能に接合して構成した背クッションの二つのクッション体を前記ベッド本体の仕切の両側に振り分けて収納され、前記ベッド本体の開口部は梱包材で閉塞された、ソファーベッドの梱包構造
【発明の詳細な説明】
【技術分野】
【０００１】
この発明は、流通時における便宜の向上を考慮したソファーベッドに関するものであり、在庫及び運搬時の省スペース化に寄与するものである。
【背景技術】
【０００２】
ベッド本体に背クッションを載置してソファーとして使用し、背クッションを外してベッドとして使用するようにしたソファーベッドは従来から存在する。このようなソファーベッドは、一般にベッド本体と背クッションとを別々に梱包して保管し、運搬している。
そのために、保管、運搬に場所を取るほか、梱包数が複数になるので運搬に手間がかかるという問題もあった。
【０００３】
従来、省スペース化を目的としたソファーベッドとして、ベッドのマットを背クッションに収納できるようにしたもの（特開２００３−１９９６４８）や、マットレスの下方に補助マットレスを収納できるようにしたもの（実開昭６２−５３０６６）、などが提案されているが、これらはいずれも使用時における省スペース化を目的としたものであって、流通時における省スペース化を目的としたものではない。
【特許文献１】特開２００３−１９９６４８号公報
【特許文献２】実開昭６２−５３０６６号公報
【発明の開示】
【発明が解決しようとする課題】
【０００４】
この発明は、流通時すなわち在庫保管時及び運搬時における省スペース化を図ることを課題とするものである。
【課題を解決するための手段】
【０００５】
この発明のソファーベッドは、ベッド本体と前記ベッド本体のクッション面に載置する背クッションとを組み合わせて構成されている。
前記ベッド本体は、下側を中空とし、この中空部にベッド本体の短縁と平行に複数の仕切を設けたものとし、前記背クッションは、二つのクッション体をその長縁で折り畳み可能に接合して構成する。そして、この背クッションの二つのクッション体を前記ベッド本体の仕切の両側に振り分けて収納できるようにする。
前記仕切は、実施例に示すような板の他、パイプなどの竿体とすることもできる。
前記クッション体は略台形柱状とするとベッド本体の中空部への収まりが安定するが、クッション体の具体的な形態及び構造に制約はない。
なお、各背クッションの長さはベッド本体の幅と同程度とすると、２つの背クッションでベッド本体の長手方向にほぼ対応する長さを得ることができ（通常のベッドは幅と長さの比が１：２強程度である。）。ソファーとして使用するときに好適である。
また、以下の実施例に示すように、脚を着脱自在とするとベッド本体の縦寸法に全て納めることができる効果があるが、ベッド本体に脚が固定されていてもよい。
【０００６】
請求項２の発明は、請求項１の発明によって得ることのできるソファーベットの梱包構造である。
すなわち、ベッド本体の下側を中空とし、この中空部にベッド本体の短縁と平行に複数の仕切を設けたベッド本体の前記中空部に、二つのクッション体をその長縁で折り畳み可能に接合して構成した背クッションの二つのクッション体を前記ベッド本体の仕切の両側に振り分けて収納し、前記ベッド本体の開口部は梱包材で閉塞して構成する。
前記梱包材は、ベッド本体に収納された背クッションが脱落しないように止めることのできるものであればよい。ベッド本体の開口部を覆う段ボールが一般的であるが、ガムテープなどのテープを用いることも可能である。
【発明の効果】
【０００７】
この発明によれば、背クッションをベッド本体の中空部に収納することができるので、ベッド本体のスペースのみでベッド本体と背クッションとを保管し、運搬することができる。そして１梱包で足りるので運搬の手間も省ける。
また、背クッションを二つのクッション体を繋げた構成として、ベッド本体の仕切の両側に振り分けて収納することとしたので、背クッションの収納状態が安定する。
【図面の簡単な説明】
【０００８】
【図１】この発明実施例のベッド本体及び背クッションの底面側斜視図
【図２】同じくベッド本体に背クッションを収納した状態の正面図
【図３】同じくソファーとしての使用状態を示す側面図
【図４】同じく背クッションの底面側斜視図
【図５】同じく背クッションの平面側斜視図
【図６】脚の取付を示す同じ底面側斜視図
【符号の説明】
【０００９】
１      ベッド本体
１ａ    サイドフレーム
１ｂ    マット
２      背クッション
２ａ    クッション体
２ｂ    クッション体
３      仕切板
４      段ボール
【発明を実施するための形態】
【００１０】
以下この発明の実施例を説明する。
【実施例】
【００１１】
図において、符号１はベッド本体、符号２は背クッションである。
前記ベッド本体１は平面視長方形のサイドフレーム１ａと上面のマット１ｂとで構成してあり、サイドフレーム１ａで囲われたマット１ｂの裏面下側は中空部５としてある。この中空部にはサイドフレーム１ａの短縁と平行な３枚の仕切板３、３ａ、３ｂが設けてある。これらの仕切板はサイドフレームの上下にわたる高さであって、サイドフレームの補強機能を持つと共に、両側の仕切板３，３ｂは背クッション２の位置決め機能を持つものである。
前記サイドフレーム１ａの短縁に沿って脚受板４が取り付けてあり、この脚受板４に脚５がネジによって取り付けられる（図６参照）。
【００１２】
前記背クッション２は、略台形柱状の二つのクッション体２ａ、２ｂを、その一縁２ｃで接合して構成してある。この背クッションの大きさは、開いた状態で前記ベッド本体１の中空部に収まり、かつ中空部の短縁の長さと同等としてある。
このクッション体は仕切板３の左右に収納するものと、仕切板３ｂの左右に収納するものの二つを用意する。
【００１３】
前記背クッション２は、２つのクッション体２ａ、２ｂの接合部２ｃを前記サイドフレームの仕切板３及び３ｂにあてがい、二つのクッション体を仕切板の左右に振り分けてベッド本体１の中空部に収納する。
図中符号６はベッド本体１の中空部の開口を閉塞するための段ボールである。段ボールでベッド本体を梱包することにより、ベッド本体１と背クッション２は一体化される。
【００１４】
前記ベッド本体１のマット１ｂには、長手方向の縁に沿って面ファスナー７が取り付けてあり、ソファーとして使用するときには、背クッション２のクッション体２ａ、２ｂを重ね合わせ、一方のクッション体に取り付けられた面ファスナーを前記ベッド本体１の面ファスナーに接合して使用する。
【産業上の利用可能性】
【００１５】
この発明は、クッションを別体としたソファーベッドにおいて、その保管、運搬の省スペース化、運搬の作業性の向上に寄与するものであって、産業上の利用可能性を有するものである。
【図１】
0005647174.tif 000002
【図２】
0005647174.tif 000003
【図４】
0005647174.tif 000004
【図５】
0005647174.tif 000005
【図６】
0005647174.tif 000006
【図３】
0005647174.tif 000007